(57)【特許請求の範囲】
【請求項１】
ネットワークを介して接続する端末からの指示を入力し、前記端末へ表示画面を出力するサーバを有する特定ファンド指定配分システムであって、
前記サーバは、処理を行う制御部と、処理プログラム及び各種テーブルを記憶する記憶部とを有し、
各種テーブルとして、口座番号に対して寄付用に運用する複数の銘柄の銘柄名と当該各銘柄の口数が設定される寄付口座テーブルと、顧客の口座番号に対して複数の銘柄名、複数の寄付先の情報、現金投資割合、算出口数、基準価額が設定される投資割合テーブルと、顧客の口座番号に対して複数の寄付先の情報に対する割合と自己の留保分の割合が設定される寄付割合テーブルと、複数の保有銘柄について分配金と算出口数に対応する取得分配金額、当該取得分配金額の合計が設定される分配金テーブルと、前記取得分配金額の合計を寄付原資として前記寄付割合テーブルの割合に応じて複数の寄付先の情報に対する寄付額と自己の留保分が設定される寄付額テーブルとを備え、
前記制御部が、前記記憶部から処理プログラムを読み込んで実行可能となる処理手段として、
前記寄付口座テーブルに前記端末から入力指示された複数の銘柄の銘柄名と当該各銘柄の口数を設定する寄付口座設定処理と、前記投資割合テーブルに前記複数の銘柄名、前記端末で取得された複数の寄付先の情報、前記端末から入力指示された現金投資割合とを、前記銘柄名、前記寄付先の情報及び前記現金投資割合を関連付けて設定する投資割合設定処理と、前記寄付割合テーブルに前記端末から入力指示された複数の寄付先の情報に対する割合と自己の留保分の割合を設定する寄付割合設定処理とを行う寄付先設定手段と、
前記複数の寄付先の情報に関連する前記複数の保有銘柄について保有銘柄毎に運用による分配金の情報を取得して前記分配金テーブルに設定すると共に、前記投資割合テーブルの現金投資割合を参照して当該現金投資割合に応じた保有銘柄毎の取得分配金額を演算して前記分配金テーブルに設定し、前記取得分配金額の合計を演算して前記分配金テーブルに設定する取得分配金額演算処理と、取得分配金額の合計を寄付原資として前記寄付割合テーブルの複数の寄付先の情報に対する割合と自己の留保分の割合を参照して寄付先毎の寄付額及び自己の留保分の額を演算し、前記寄付額テーブルに複数の寄付先の情報に対する各々の寄付額と自己の留保分の額を設定する寄付金演算処理を行う寄付額演算手段とを有することを特徴とする特定ファンド指定配分システム。
【請求項２】
寄付先が追加される場合、寄付先設定手段が、寄付口座テーブルに端末によって追加される寄付先に対する銘柄名と口数を設定する寄付口座設定処理と、投資割合テーブルに前記追加される寄付先の情報に対する銘柄名、前記端末で取得された追加される寄付先の情報、前記端末から入力指示された既存及び追加の寄付先の情報についての銘柄名毎の現金投資割合を設定する投資割合設定処理と、寄付割合テーブルに前記端末から入力指示された既存及び追加の複数の寄付先の情報に対する割合と自己の留保分の割合を設定する寄付割合設定処理とを行い、
寄付額演算手段が、既存及び追加された複数の寄付先の情報に関連する複数の保有銘柄について前記保有銘柄毎に運用による分配金の情報を取得して分配金テーブルに設定すると共に、前記投資割合テーブルの現金投資割合を参照して当該現金投資割合に応じた保有銘柄毎の取得分配金額を演算して前記分配金テーブルに設定し、前記取得分配金額の合計を演算して前記分配金テーブルに設定する取得分配金額演算処理と、取得分配金額の合計を寄付原資として前記寄付割合テーブルの既存及び追加の複数の寄付先の情報に対する割合と自己の留保分の割合を参照して寄付先毎の寄付額及び自己の留保分の額を演算し、前記寄付額テーブルに既存及び追加の複数の寄付先の情報に対する各々の寄付額と自己の留保分の額を設定する寄付金演算処理を行うことを特徴とする請求項１記載の特定ファンド指定配分システム。
【請求項３】
サーバの制御部が、寄付額演算手段で演算された複数の寄付先に対する各々の寄付額を当該複数の寄付先の情報に対応する各々の寄付先の口座に振り込む処理を行うことを特徴とする請求項１又は２記載の特定ファンド指定配分システム。
【請求項４】
端末は、無線によってユビキタスＩＤを読み取る機能を備え、ユビキタスＩＤを読み込むと寄付先情報を表示部に表示し、前記寄付先情報において寄付の指示が入力部から入力されると、寄付先の識別情報をサーバに送信すると共に前記サーバへ接続することを特徴とする請求項１乃至３のいずれか記載の特定ファンド指定配分システム。
【請求項５】
端末は、ＱＲコード（登録商標）を読み取る機能を備え、ＱＲコード（登録商標）を読み込むと当該ＱＲコード（登録商標）に含まれる寄付先サイトへのアクセス情報から寄付先情報を提供する寄付先サイトに接続して寄付先情報を表示部に表示し、
前記寄付先サイトは、前記端末の表示部に表示した寄付先情報において寄付の指示が前記端末の入力部から入力されると、寄付先の識別情報をサーバに送信すると共に前記端末を前記サーバへ接続させることを特徴とする請求項１乃至３のいずれか記載の特定ファンド指定配分システム。
【請求項６】
端末の表示部に表示される寄付先情報には、寄付対象物の属性が表示されることを特徴とする請求項４又は５記載の特定ファンド指定配分システム。
【発明の詳細な説明】
【技術分野】
【０００１】
本発明は、特定ファンドの運用益を指定した割合に応じて配分するシステムに係り、特に、顧客口座における特定口座と同様に寄付口座を設け、寄付口座における投資信託の運用益の一部を寄付として配分する特定ファンド指定配分システムに関する。
【背景技術】
【０００２】
従来、寄付を行いたい場合、寄付先をインターネット等で検索する必要があったため、簡単には寄付を行うことができないものとなっていた。
ところで、近年、ユビキタスＩＤ（identifier）を利用した技術が普及し始めている。
【０００３】
尚、慈善寄付を投資及び消費購買に結び付ける方法が特表２００５−５２１９７２（特許文献１）に記載されている。
また、ユビキタス環境下において、煩雑なユーザ側のプライベート情報を入力しなくても、買い物等のアクションを一気に完結させるシステムについて特開２００６−８５２９５（特許文献２）に記載されている。
【０００４】
【特許文献１】特表２００５−５２１９７２号公報
【特許文献２】特開２００６−０８５２９５号公報
【発明の開示】
【発明が解決しようとする課題】
【０００５】
しかしながら、従来において、例えば、文化遺産について寄付を希望しても寄付先が分からず、寄付を断念せざるを得ないという問題点があった。
また、寄付の大半は、一時的なものであり、寄付の継続は富裕層でなければ相当な負担になるという問題点があった。
また、株式や投資信託の運用益を寄付する場合、現金化して団体に振り込む手間が掛かるという問題点があった。
【０００６】
本発明は上記実状に鑑みて為されたものであり、複数の投資信託を組み合わせてそれらの運用益を特定の寄付先に簡単に寄付することができる特定ファンド指定配分システムを提供することを目的とする。
【課題を解決するための手段】
【０００７】
上記従来例の問題点を解決するための本発明は、ネットワークを介して接続する端末からの指示を入力し、端末へ表示画面を出力するサーバを有する特定ファンド指定配分システムであって、サーバは、処理を行う制御部と、処理プログラム及び各種テーブルを記憶する記憶部とを有し、各種テーブルとして、口座番号に対して寄付用に運用する複数の銘柄の銘柄名と当該各銘柄の口数が設定される寄付口座テーブルと、顧客の口座番号に対して複数の銘柄名、複数の寄付先の情報、現金投資割合、算出口数、基準価額が設定される投資割合テーブルと、顧客の口座番号に対して複数の寄付先の情報に対する割合と自己の留保分の割合が設定される寄付割合テーブルと、複数の保有銘柄について分配金と算出口数に対応する取得分配金額、当該取得分配金額の合計が設定される分配金テーブルと、取得分配金額の合計を寄付原資として寄付割合テーブルの割合に応じて複数の寄付先の情報に対する寄付額と自己の留保分が設定される寄付額テーブルとを備え、制御部が、記憶部から処理プログラムを読み込んで実行可能となる処理手段として、寄付口座テーブルに端末から入力指示された複数の銘柄の銘柄名と当該各銘柄の口数を設定する寄付口座設定処理と、投資割合テーブルに複数の銘柄名、端末で取得された複数の寄付先の情報、端末から入力指示された現金投資割合とを、銘柄名、寄付先の情報及び現金投資割合を関連付けて設定する投資割合設定処理と、寄付割合テーブルに端末から入力指示された複数の寄付先の情報に対する割合と自己の留保分の割合を設定する寄付割合設定処理とを行う寄付先設定手段と、複数の寄付先の情報に関連する複数の保有銘柄について保有銘柄毎に運用による分配金の情報を取得して分配金テーブルに設定すると共に、投資割合テーブルの現金投資割合を参照して当該現金投資割合に応じた保有銘柄毎の取得分配金額を演算して分配金テーブルに設定し、取得分配金額の合計を演算して分配金テーブルに設定する取得分配金額演算処理と、取得分配金額の合計を寄付原資として寄付割合テーブルの複数の寄付先の情報に対する割合と自己の留保分の割合を参照して寄付先毎の寄付額及び自己の留保分の額を演算し、寄付額テーブルに複数の寄付先の情報に対する各々の寄付額と自己の留保分の額を設定する寄付金演算処理を行う寄付額演算手段とを有することを特徴とする。
【発明の効果】
【０００８】
本発明によれば、制御部が、記憶部から処理プログラムを読み込んで実行可能となる処理手段として、寄付口座テーブルに端末から入力指示された複数の銘柄の銘柄名と当該各銘柄の口数を設定する寄付口座設定処理と、投資割合テーブルに複数の銘柄名、端末で取得された複数の寄付先の情報、端末から入力指示された現金投資割合とを、銘柄名、寄付先の情報及び現金投資割合を関連付けて設定する投資割合設定処理と、寄付割合テーブルに端末から入力指示された複数の寄付先の情報に対する割合と自己の留保分の割合を設定する寄付割合設定処理とを行う寄付先設定手段と、複数の寄付先の情報に関連する複数の保有銘柄について保有銘柄毎に運用による分配金の情報を取得して分配金テーブルに設定すると共に、投資割合テーブルの現金投資割合を参照して当該現金投資割合に応じた保有銘柄毎の取得分配金額を演算して分配金テーブルに設定し、取得分配金額の合計を演算して分配金テーブルに設定する取得分配金額演算処理と、取得分配金額の合計を寄付原資として寄付割合テーブルの複数の寄付先の情報に対する割合と自己の留保分の割合を参照して寄付先毎の寄付額及び自己の留保分の額を演算し、寄付額テーブルに複数の寄付先の情報に対する各々の寄付額と自己の留保分の額を設定する寄付金演算処理を行う寄付額演算手段とを有する特定ファンド指定分配システムとしているので、複数の投資信託を組み合わせてそれらの運用益を特定の複数の寄付先に容易に寄付できる効果がある。
【発明を実施するための最良の形態】
【０００９】
本発明の実施の形態について図面を参照しながら説明する。
［実施の形態の概要］
本発明の実施の形態に係る特定ファンド指定配分システムは、寄付先ＩＤを取得した端末が寄付用に資産の運用益を管理するサーバにアクセスし、サーバの制御部が処理プログラムを読み込んで実行可能となる寄付先設定手段が寄付口座を設定する処理と、複数の投資信託を組み合わせて投資の割合を設定する処理と、寄付の割合を設定する処理を実行し、更に制御部が処理プログラムを読み込んで実行可能となる寄付額演算手段が寄付金額を演算して寄付先に振り込む処理を行うものであり、一つ又は複数の寄付先に対して複数の投資信託で組み合わせることができるため、運用益を容易に寄付することができるものである。
【００１０】
［本システム：図１］
本発明の実施の形態に係る特定ファンド指定配分システムについて図１を参照しながら説明する。図１は、本発明の実施の形態に係る特定ファンド指定配分システムの概略図である。
本発明の実施の形態に係る特定ファンド指定配分システム（本システム）は、図１に示すように、サーバ１と、インターネット等のネットワーク２と、当該ネットワーク２に接続する端末３と、端末３に寄付先識別子（寄付先ＩＤ）を送信する寄付先ＩＤ送信装置４とを基本的に有している。
【００１１】
［各部］
［サーバ１］
サーバ１は、コンピュータによって構成され、制御部１１と、主メモリ１２と、記憶部１３と、インタフェース部１４とを備えている。
制御部１１は、ＣＰＵ（Central Processing Unit）等で構成され、記憶部１３に格納された処理プログラムを読み込んで主メモリ１２上に展開して、処理プログラムを動作可能とし、以下に説明する各種処理手段を実現している。
主メモリ１２は、ワークメモリであり、処理プログラムを一時的にロードして処理手段を実行可能とする。
【００１２】
記憶部１３は、処理プログラムを記憶すると共に、以下に説明する各種テーブルを記憶する。
記憶部１３に記憶される処理プログラムは、寄付先設定処理プログラム、寄付額演算処理プログラムである。寄付先設定処理プログラムが制御部１１に読み込まれると寄付先設定手段を実行可能とし、寄付額演算処理プログラムが制御部１１に読み込まれると寄付額演算手段が実行可能となる。これら各手段の詳細は後述する。
また、記憶部１３には、各種テーブルとして、特定口座テーブル、一般口座テーブル、保有株式テーブル、投資信託テーブル、寄付口座テーブル、投資割合テーブル、分配金テーブル、寄付割合テーブル、寄付額テーブル等を備えている。各テーブルの詳細は後述する。
インタフェース部１４は、ネットワークに接続するインタフェース部である。
【００１３】
［端末３］
端末３は、コンピュータ、ＰＤＡ（Personal Digital Assistant）、携帯電話機、ＰＨＳ（Personal Handy-phone System）端末等から構成されるもので、寄付先ＩＤ送信装置４から送信された寄付先ＩＤを無線信号により受信し、当該寄付先ＩＤを用いてサーバ１にアクセスする。
上記端末３では、寄付先ＩＤ送信装置４から送信された無線信号に含まれる寄付先ＩＤを読み取る構成となっているが、寄付先ＩＤがＱＲ（Quick Response）コード、バーコードの場合、端末３に備えられたＱＲコード読み取り装置、若しくは端末３に接続されたＱＲコード読み取り装置からコードの画像が読み込まれて画像処理され、寄付先ＩＤが読み取られる構成であってもよい。
【００１４】
端末３は、少なくとも、制御部３１と、主メモリ３２と、記憶部３３と、表示部３４と、入力部３５と、信号処理部３６とを備えている。
制御部３１は、ＣＰＵ等で構成され、記憶部３３に格納された処理プログラムを読み込んで主メモリ３２上に展開して、処理プログラムを動作可能とする。
主メモリ３２は、処理プログラムがロードされるワークメモリである。
記憶部３３は、処理プログラム及び必要なデータを記憶する記憶部である。
表示部３４は、寄付先に関する情報を表示する。
入力部３５は、寄付先の情報を設定指示する。
信号処理部３６は、寄付先ＩＤ送信装置４から送信される寄付先ＩＤを受信し、更にネットワーク２に通信接続する信号処理部である。
端末３は、サーバ１に対する入力手段及び表示手段の役割を果たすものである。
【００１５】
［寄付先ＩＤ送信装置４］
寄付先ＩＤ送信装置４は、寄付先ＩＤを無線信号により端末３に送信する。尚、寄付先ＩＤがＱＲコード、バーコードの場合、端末３に備えられたＱＲコード読み取り装置、若しくは端末３に接続されたＱＲコード読み取り装置から寄付先ＩＤが読み取られる構成であってもよい。
寄付先ＩＤ送信装置４は、具体的には、ユビキタスＩＤを利用したものであり、例えば、文化財等の寄付対象物の近傍に配置され、特定エリア内に寄付先ＩＤを送信し続けるようになっている。
【００１６】
尚、寄付先ＩＤの他に、当該ＩＤに対応した寄付先の情報を記憶するコンピュータのアクセス先の情報（アドレス又はＵＲＬ）も送信している。当該コンピュータは、ネットワーク２を介して接続されている。また、当該コンピュータは、サーバ１が兼ね備えてもよいし、サーバ１とは別のサーバであってもよい。
また、ユビキタスＩＤとして寄付先ＩＤを送信するのではなく、寄付先の情報を記憶するコンピュータへのアクセス情報を送信して、アクセス先のコンピュータで寄付先ＩＤを付与するようにしてもよい。
【００１７】
［本システムの概略動作］
本システムにおける概略動作は、寄付先ＩＤ送信装置４が寄付先ＩＤを無線で送信すると、端末３は、寄付先ＩＤを受信し、当該寄付先ＩＤに付加されたアクセス先の情報に基づいて寄付先の情報を管理するコンピュータにアクセスし、当該寄付先の情報から寄付を行う指示が入力されると、寄付処理を実行するサーバ１にアクセスする。
【００１８】
サーバ１は、寄付先ＩＤによりアクセスされると、寄付先設定手段により、当該アクセスが寄付対象か否かの判定処理、寄付先情報の表示処理、寄付口座を設定する寄付口座設定処理、投資の割合を設定する投資割合設定処理、寄付の割合を設定する寄付割合設定処理を行い、寄付額演算手段により、寄付金額を演算する寄付額演算処理を行う。
【００１９】
［各種テーブル：図２〜１０］
次に、記憶部１３に格納された各テーブルについて図２〜１０を参照しながら説明する。図２は、特定口座テーブルの概要を示す図であり、図３は、一般口座テーブルの概要を示す図であり、図４は、保有株式テーブルの概要を示す図であり、図５は、投資信託テーブルの概要を示す図であり、図６は、寄付口座テーブルの概要を示す図であり、図７は、投資割合テーブルの概要を示す図であり、図８は、分配金テーブルの概要を示す図であり、図９は、寄付割合テーブルの概要を示す図であり、図１０は、寄付額テーブルの概要を示す図である。
【００２０】
［特定口座テーブル：図２］
特定口座テーブルは、顧客口座における特定口座の内容を示すテーブルであり、図２に示すように、顧客の口座番号に対して保有銘柄の株式の銘柄コード、株数、簿価単価が設定されている。
【００２１】
［一般口座テーブル：図３］
一般口座テーブルは、顧客の投資信託における一般口座の内容を示すテーブルであり、図３に示すように、顧客の口座番号に対して投資信託商品の銘柄名と口数が設定されている。
【００２２】
［保有株式テーブル：図４］
保有株式テーブルは、図４に示すように、特定口座テーブルの内容を反映したものとなっている。
【００２３】
［投資信託テーブル：図５］
投資信託テーブルは、図５に示すように、一般口座テーブルの内容を反映したものとなっている。
ここで、保有株式テーブルと投資信託テーブルとをもって顧客口座の全体を表している。
【００２４】
［寄付口座テーブル：図６］
寄付口座テーブルは、図６に示すように、当該口座の顧客が寄付を行う場合に、口座番号に対して寄付用に運用する銘柄名（投資信託の商品）と口数を設定するテーブルである。
【００２５】
［投資割合テーブル：図７］
投資割合テーブルは、図７に示すように、顧客の口座番号に対して銘柄名、寄付先ＩＤと現金投資割合を設定し、更に計算説明用として算出口数と基準価額が設定される。
【００２６】
［分配金テーブル：図８］
分配金テーブルは、図８に示すように、保有銘柄について１０，０００口に対する分配金と算出口数に対応する取得分配が設定される。尚、取得分配の合計が算出され、当該テーブルに設定される。
【００２７】
［寄付割合テーブル：図９］
寄付割合テーブルは、図９に示すように、顧客の口座番号に対して、寄付先ＩＤの寄付先に対する割合と自己の留保分の割合を決定するテーブルである。つまり、どの寄付先にどの程度の割合で寄付をし、自己の再投資のためにどの程度残すかを決定するものである。従って、寄付先に対する割合と自己の留保分の割合との合計は１００になる。
【００２８】
［寄付額テーブル：図１０］
寄付額テーブルは、図１０に示すように、分配金テーブルの取得分配の合計を寄付原資とし、寄付割合テーブルの割合に応じて寄付先に対する寄付額と自己の保留分の額が演算されて設定される。
上記各テーブルにおけるデータの設定等の処理については後述する。
【００２９】
［各手段］
［寄付先設定手段］
記憶部１３に格納された寄付先設定処理プログラムが制御部１１によって読み込まれて主メモリ１２に展開されると、寄付先設定手段が実行可能となる。
寄付先設定手段は、寄付口座テーブルに寄付に関する項目を設定する寄付口座設定処理と、投資割合テーブルに銘柄名、寄付先ＩＤ、現金投資割合を設定する投資割合設定処理と、寄付割合テーブルに寄付割合を設定する寄付割合設定処理を行う。
【００３０】
［寄付額演算手段］
次に、記憶部１３に格納された寄付額演算処理プログラムが制御部１１によって読み込まれて主メモリ１２に展開されると、寄付額演算手段が実行可能となる。
寄付額演算手段は、投資信託運用による分配金の情報を取得し、分配金テーブルの保有銘柄毎に分配金を設定すると共に、取得分配金を演算して取得分配金額に設定して合計を演算し、合計欄に数値を設定する取得分配金額演算処理と、取得分配金の合計を寄付原資として寄付割合テーブルを参照して寄付額を演算し、寄付額テーブルに演算した寄付額を設定する寄付金演算処理を行う。
【００３１】
そして、寄付額演算手段は、演算した寄付額を対応する寄付先ＩＤの振込先に振り込む処理を行う。つまり、サーバ１では、寄付先ＩＤと対応する振込先を記憶しており、投資信託による運用益が出ると、寄付先に対応する振込先に寄付額が振り込まれるようになっている。
【００３２】
［寄付先１の追加処理］
次に、例えば、寄付先１を追加する場合の寄付先設定手段における各処理と寄付額演算手段における各処理について説明する。
［寄付先設定手段での各処理（１）：図１１，図１２］
寄付先１が追加される場合の寄付先設定手段での各処理について図１１、図１２を参照しながら説明する。図１１は、寄付に関する事項を設定するための端末画面イメージの図であり、図１２は、寄付先１の追加処理を示す概略図である。
端末３が寄付先ＩＤを取得し、当該寄付先ＩＤに対応する寄付先に寄付するために投資信託を利用する場合は、サーバ１が管理する寄付に関連するサイトにアクセスする。
【００３３】
サーバ１の制御部１１によって実行される寄付先設定手段は、アクセスした端末３の利用者に対してユーザＩＤとパスワードの入力による本人認証を促す。本実施の形態では、ユーザＩＤとして顧客の口座番号を用いてもよい。
【００３４】
寄付先設定手段は、本人認証処理で本人が認証されると、図１１に示す表示画面を端末３の表示部に表示する。図１１では、投資先設定の画面Ａと寄付先設定の画面Ｂを並列に表示した例を示しているが、画面Ａ，Ｂのいずれか指定して選択的に一画面で表示するようにしてもよい。
【００３５】
画面Ａでは、寄付先１について、金額・口数「１０，０００円」、ファンド名「投信Ａ」の投資割合「５０％」、ファンド名「投信Ｂ」の投資割合「５０％」を設定している。
画面Ｂでは、寄付先１に「４０％」、寄付先２に「５０％」、自己分「１０％」、合計「１００％」を設定している。
上記画面Ａ，Ｂの設定により、寄付先設定手段は、寄付口座テーブル、投資割合テーブル及び寄付割合テーブルへの設定を行う。
【００３６】
尚、図１２では、寄付先１に対して金額・口数１０，０００円で投信Ａに５０％、投信Ｂに５０％、寄付先１に９０％、自己分に１０％の割合を設定した場合を例に説明する。
寄付先設定手段は、図１２に示すように、画面Ａの設定情報から寄付口座テーブルにおいて顧客口座番号に対応して銘柄名として「投信Ａ」「投信Ｂ」を設定し、口数としては１０，０００円を５０％と５０％に分けた５，０００円と５，０００円が設定される。
【００３７】
更に、寄付先設定手段は、画面Ａから投資割合テーブルの銘柄名、寄付先ＩＤ、現金投資割合、算出口数、基準価額を設定する。銘柄名は「投信Ａ」「投信Ｂ」で、寄付先ＩＤは双方とも寄付先１、投信Ａ，Ｂも割合が５０％、５０％であるので、現金投資割合に５０％、５０％を、算出口数は寄付口座テーブルを参照して５，０００円、５，０００円を設定し、各々の基準価額１０，０００円を設定する。
また、寄付先設定手段は、画面Ｂから寄付割合テーブルに寄付先１に９０％、自己分（自己の留保分）に１０％を設定する寄付割合設定処理を行う。
【００３８】
［寄付額演算手段での各処理（１）：図１３］
寄付先１が追加される場合の寄付割合演算手段における各処理について図１３を参照しながら説明する。図１３は、寄付先１が追加される場合の寄付額演算処理を示す概略図である。
寄付額演算手段は、図１３に示すように、投信Ａ、投信Ｂについて１０，０００口に対する分配金の情報（投信Ａ：１００、投信Ｂ：２００）を取得し、当該分配金の金額を分配金テーブルに設定し、投資割合テーブルの現金投資割合（投信Ａ：５０％、投信Ｂ：５０％）を参照し、当該割合に応じた取得分配金（投信Ａ：５０円、投信Ｂ：１００円）を演算すると共に、取得分配金の合計（１５０円）を演算する取得分配金演算処理を行う。
【００３９】
更に、寄付額演算手段は、取得分配金の合計（１５０円）を寄付原資として、寄付割合テーブルの寄付割合（寄付先１：９０％、自己分：１０％）を参照し、寄付額（寄付先１：１３５円［＝１５０×０．９］、自己：１５円［＝１５０×０．１］）を演算して寄付額テーブルに設定する寄付額演算処理を行う。
以上のようにして、寄付先１の追加処理、寄付額の算出が為される。
【００４０】
［寄付先２の追加処理］
次に、例えば、寄付先２を追加する場合の寄付先設定手段における各処理と寄付額演算手段における各処理について説明する。
［寄付先設定手段での各処理（２）：図１４］
寄付先２が追加される場合の寄付先設定手段における各処理について図１４を参照しながら説明する。図１４は、寄付先２の追加処理を示す概略図である。
【００４１】
寄付先設定手段は、追加される寄付先２に対して寄付口座に運用する投資信託の銘柄名と口数が顧客によって設定される。図１４では、寄付先２として投信Ｂが３，０００円、投信Ｃが７，０００円追加設定される寄付口座設定処理が為される。寄付口座の内容は、投資信託テーブルにも反映される。
【００４２】
また、寄付先１と追加された寄付先２について投資割合が投資割合テーブルに設定される投資割合設定処理を行う。図１４では、寄付先２に投信Ｂを現金投資割合３０、算出口数３，０００円、基準価格１０，０００円が設定され、寄付先２に投信Ｃを現金投資割合７０、算出口数７，０００円、基準価格１０，０００円が設定される。
【００４３】
また、寄付先設定手段は、図１１の画面Ｂから寄付割合テーブルに寄付先１に４０％、寄付先２に５０％、自己分に１０％を設定する寄付割合設定処理を行う。
【００４４】
［寄付額演算手段での各処理（２）：図１５］
寄付先２が追加される場合の寄付割合演算手段における各処理について図１５を参照しながら説明する。図１５は、寄付先２が追加される場合の寄付額演算処理を示す概略図である。
寄付額演算手段は、図１５に示すように、投信Ａ、投信Ｂ、投信Ｃについて１０，０００口に対する分配金の情報（投信Ａ：２００、投信Ｂ：３００、投信Ｃ：１００）を取得し、当該分配金の金額を分配金テーブルに設定し、投資割合テーブルの現金投資割合（投信Ａ：５０％、投信Ｂ：５０％、投信Ｂ：３０％、投信Ｃ：７０％）を参照し、当該割合に応じた取得分配金（投信Ａ：１００円、投信Ｂ：２４０円［１５０円＋９０円］、投信Ｃ：７０円）を演算すると共に、取得分配金の合計（４１０円）を演算する取得分配金演算処理を行う。
【００４５】
更に、寄付額演算手段は、取得分配金の合計（４１０円）を寄付原資として、寄付割合テーブルの寄付割合（寄付先１：４０％、寄付先２：５０％、自己分：１０％）を参照し、寄付額（寄付先１：１６４円［＝４１０×０．４］、寄付先２：２０５円［＝４１０×０．５］、自己：４１円［＝４１０×０．１］）を演算して寄付額テーブルに設定する寄付額演算処理を行う。
以上のようにして、寄付先２の追加処理、寄付額の算出が為される。
【００４６】
［寄付先３の追加処理］
次に、例えば、寄付先３を追加する場合の寄付先設定手段における各処理と寄付額演算手段における各処理について説明する。
［寄付先設定手段での各処理（３）：図１６］
寄付先３が追加される場合の寄付先設定手段における各処理について図１６を参照しながら説明する。図１６は、寄付先３の追加処理を示す概略図である。
図１６では、一般口座の投信Ａから５，０００円分の口数を寄付先３用に運用するよう寄付口座に移管し、更に、投信Ｃに５，０００円分の口数を追加する場合である。
【００４７】
寄付先設定手段は、追加される寄付先３に対して寄付口座に運用する投資信託の銘柄名と口数が顧客によって設定される。図１６では、寄付先３として投信Ａが一般口座からの移管により５，０００円、投信Ｃが５，０００円追加設定される寄付口座設定処理が為される。寄付口座の内容は、投資信託テーブルにも反映される。但し、投資信託テーブルの投信Ａの口数は、一般口座から移管しているので、口数の増減がない。
【００４８】
また、寄付先１、寄付先２と追加された寄付先３について投資割合が投資割合テーブルに設定される投資割合設定処理を行う。図１６では、寄付先３に投信Ａを一般口座からの移管により設定され、寄付先３に投信Ｃを現金投資割合１００、算出口数５，０００円、基準価格１０，０００円が設定される。
【００４９】
また、寄付先設定手段は、図１１の画面Ｂから寄付割合テーブルに寄付先１に３０％、寄付先２に４０％、寄付先３に２０％、自己分に１０％を設定する寄付割合設定処理を行う。
【００５０】
［寄付額演算手段での各処理（３）：図１７］
寄付先３が追加される場合の寄付割合演算手段における各処理について図１７を参照しながら説明する。図１７は、寄付先３が追加される場合の寄付額演算処理を示す概略図である。
寄付額演算手段は、図１７に示すように、投信Ａ、投信Ｂ、投信Ｃについて１０，０００口に対する分配金の情報（投信Ａ：３００、投信Ｂ：１００、投信Ｃ：２００）を取得し、当該分配金の金額を分配金テーブルに設定し、投資割合テーブルの現金投資割合（投信Ａ：５０％、投信Ｂ：５０％、投信Ｂ：３０％、投信Ｃ：７０％、投信Ｃ：５０％）を参照し、当該割合に応じた取得分配金（投信Ａ：３００円、投信Ｂ：８０円［５０円＋３０円］、投信Ｃ：２４０円［１４０円＋１００円］）を演算すると共に、取得分配金の合計（６２０円）を演算する取得分配金演算処理を行う。
【００５１】
更に、寄付額演算手段は、取得分配金の合計（６２０円）を寄付原資として、寄付割合テーブルの寄付割合（寄付先１：３０％、寄付先２：４０％、寄付先３：２０％、自己分：１０％）を参照し、寄付額（寄付先１：１８６円［＝６２０×０．３］、寄付先２：２４８円［＝６２０×０．４］、寄付先３：１２４円［＝６２０×０．２］、自己：６２円［＝６２０×０．１］）を演算して寄付額テーブルに設定する寄付額演算処理を行う。
以上のようにして、寄付先３の追加処理、寄付額の算出が為される。
【００５２】
［処理フロー］
［寄付登録処理：図１８］
次に、寄付登録処理について図１８を参照しながら説明する。図１８は、寄付登録処理のフローチャートである。
寄付登録処理は、端末３からの入力によりサーバ１の制御部１１で実行される寄付先設定手段によって為されるものである。
寄付登録処理は、図１８に示すように、ＱＲコード又はユビキタスＩＤによって寄付先のＩＤを取得する（Ｓ１）と、寄付対象情報か否かの確認を行う（Ｓ２）。
【００５３】
そして、寄付対象か否かの判定が為され（Ｓ３）、寄付対象でなければ（Ｎｏの場合）、処理を終了する。寄付対象であれば（Ｙｅｓの場合）、寄付先情報の表示処理を行い（Ｓ４）、更に、寄付対象にするか否かを選択する（Ｓ５）。
寄付対象にしなければ（Ｎｏの場合）、処理を終了し、寄付対象にした場合（Ｙｅｓの場合）、寄付先情報の登録処理を行い（Ｓ６）、処理を終了する。
寄付先情報の具体的登録処理は、図１１〜図１７で説明した通りである。
【００５４】
［寄付額算出処理：図１９］
次に、寄付額算出処理について図１９を参照しながら説明する。図１９は、寄付額算出処理のフローチャートである。
寄付額算出処理は、サーバ１の制御部１１で実行される寄付額演算手段によって為されるものである。
【００５５】
寄付額算出処理は、図１９に示すように、保有銘柄に対する分配金を取得し、分配金テーブルに設定する（Ｓ１１）。
次に、寄付口座テーブルから口数を参照して取得分配額を算出し、分配金テーブルに設定する（Ｓ１２）。
【００５６】
次に、取得分配額の合計を演算し、寄付原資を取得する（Ｓ１３）。
そして、寄付割合テーブルから寄付先と自己分の割合を参照して、寄付額を算出し、寄付額テーブルに設定する（Ｓ１４）。このようにして、寄付額が求められ、処理を終了する。
【００５７】
［寄付先ＩＤ取得方法］
次に、寄付先ＩＤを取得する方法について以下、具体的に説明する。寄付先ＩＤを取得する方法には、例えば、ＱＲコードを用いたものや、ユビキタスＩＤを用いたものがある。
【００５８】
［ＱＲコード］
ＱＲコードを用いた寄付先ＩＤ取得の方法は、端末３（コンピュータ、ＰＤＡ、携帯電話機等）に備えられたＱＲコードを読み取る機能を用いて、寄付先に関するＱＲコードを読み込むと、当該コードに含まれる情報を取得する。
当該情報には、寄付先のサイトへのアクセス情報が含まれており、端末３が、アクセス情報から寄付先のサイトに接続して「寄付」の指示を入力すると、寄付先のサイトが、寄付先ＩＤを本システムにおけるサーバ１に送信すると共に端末３をサーバ１に接続させる。これにより、寄付先設定処理、寄付額演算処理が可能となる。
尚、寄付先のサイトでは、寄付対象物の内容（属性）を確認でき、寄付対象物をより詳細に認識することができる。
【００５９】
［ユビキタスＩＤ］
ユビキタスＩＤを用いた寄付先ＩＤ取得の方法は、端末３（コンピュータ、ＰＤＡ、携帯電話機等）に備えられたユビキタスＩＤを無線で読み取る機能を用いて、寄付先に関するユビキタスＩＤを読み込むと、当該ＩＤに対応する処理プログラム（端末３にダウンロードされているプログラム）を動作させ、寄付先情報を端末３の表示部に表示する。
尚、ユビキタスＩＤについて、バーコード、ＱＲコード等のタグについては認定が必要であり、認定タグには電子透かしタグ等がある。
【００６０】
表示された寄付先情報において「寄付」の指示が入力されると、端末３の処理プログラムは、ユビキタスＩＤに対応する寄付先ＩＤを本システムにおけるサーバ１に送信すると共に端末３をサーバ１に接続させる。これにより、寄付先設定処理、寄付額演算処理が可能となる。
尚、端末３の表示部に表示される寄付先情報では、寄付対象物の内容（属性）を確認でき、寄付対象物をより詳細に認識することができる。
【００６１】
本実施の形態では、ユビキタスＩＤを寄付先ＩＤとして利用したが、ユビキタスＩＤは処理プログラムを動作させるためのトリガーとし、処理プログラム内に寄付先ＩＤを保有させて当該寄付先ＩＤをサーバ１に送信するようにしてもよい。
【００６２】
［実施の形態の効果］
本システムによれば、寄付先設定手段、寄付額演算手段により、投資信託の運用益を寄付することが容易となり、更に定期的に寄付が可能となる効果がある。
また、本システムでは、演算された寄付額を寄付先ＩＤに対応する振込先に振り込むようにしているので、個人の負担を軽減できる効果がある。
【００６３】
更に、本システムによれば、寄付先を投資信託で組み合わせることができるため、少額からの寄付を可能にできる効果がある。
また、本システムによれば、ＱＲコード、ユビキタスＩＤを用いて寄付先ＩＤを取得可能とし、端末３をサーバ１に接続して寄付先設定処理、寄付額演算処理を容易に行うことができる効果がある。
【００６４】
また、本システムによれば、ＱＲコード、ユビキタスＩＤを用いて寄付先ＩＤを取得するようにしているので、寄付対象物を容易に特定でき、更に寄付対象物の属性、寄付先の情報を確認できる効果がある。
【産業上の利用可能性】
【００６５】
本発明は、複数の投資信託を組み合わせてそれらの運用益を特定の寄付先に簡単に寄付することができる特定ファンド指定配分システムに好適である。
【図面の簡単な説明】
【００６６】
【図１】本発明の実施の形態に係る特定ファンド指定配分システムの概略図である。
【図２】特定口座テーブルの概要を示す図である。
【図３】一般口座テーブルの概要を示す図である。
【図４】保有株式テーブルの概要を示す図である。
【図５】投資信託テーブルの概要を示す図である。
【図６】寄付口座テーブルの概要を示す図である。
【図７】投資割合テーブルの概要を示す図である。
【図８】分配金テーブルの概要を示す図である。
【図９】寄付割合テーブルの概要を示す図である。
【図１０】寄付額テーブルの概要を示す図である。
【図１１】寄付に関する事項を設定するための端末画面イメージの図である。
【図１２】寄付先１の追加処理を示す概略図である。
【図１３】寄付先１が追加される場合の寄付額演算処理を示す概略図である。
【図１４】寄付先２の追加処理を示す概略図である。
【図１５】寄付先２が追加される場合の寄付額演算処理を示す概略図である。
【図１６】寄付先３の追加処理を示す概略図である。
【図１７】寄付先３が追加される場合の寄付額演算処理を示す概略図である。
【図１８】寄付登録処理のフローチャートである。
【図１９】寄付額算出処理のフローチャートである。
【符号の説明】
【００６７】
１…サーバ、  ２…ネットワーク、  ３…端末、  ４…寄付先ＩＤ送信装置、  １１…制御部、  １２…主メモリ、  １３…記憶部、  １４…インタフェース部、  ３１…制御部、  ３２…主メモリ、  ３３…記憶部、  ３４…表示部、  ３５…入力部、  ３６…信号処理部
【図１】
0004976955.tif 000002
【図２】
0004976955.tif 000003
【図３】
0004976955.tif 000004
【図４】
0004976955.tif 000005
【図５】
0004976955.tif 000006
【図６】
0004976955.tif 000007
【図７】
0004976955.tif 000008
【図８】
0004976955.tif 000009
【図９】
0004976955.tif 000010
【図１０】
0004976955.tif 000011
【図１１】
0004976955.tif 000012
【図１２】
0004976955.tif 000013
【図１３】
0004976955.tif 000014
【図１４】
0004976955.tif 000015
【図１５】
0004976955.tif 000016
【図１６】
0004976955.tif 000017
【図１７】
0004976955.tif 000018
【図１８】
0004976955.tif 000019
【図１９】
0004976955.tif 000020